(57)【要約】【課題】簡易な構成で光の色を変更する。【解決手段】本発明は、音楽再生装置１は、表示用パネル４を、ＦＬ管５の表示領域５ａ及び当該表示領域５ａの周囲にパネル背面４ａを向けて配置し、当該表示用パネル４のパネル背面４ａの中でＦＬ管５の表示領域５ａに対応する表示対応領域４ａｘに、表示対象５ｂを表示することに応じて表示領域５ａから発せられた表示光から緑色の光を吸収して減衰する表示光変更塗料を塗布して、表示光変更膜ＭＡを形成するようにしたことにより、表示領域５ａに表示された表示対象５ｂの発した表示光から緑色の光を吸収して減衰するフィルタ板を設けることなく、表示光の色を変更でき、かくして、簡易な構成で光の色を変更できる。【選択図】図５
2008216886.tif 000002
【特許請求の範囲】
【請求項１】
表示部を有する電子機器に設けられる表示用パネルにおいて、
上記表示部の表示領域及び当該表示領域の周囲に背面を向けて配置された光透過性の板部を有し、上記表示領域に対応する上記板部の正面及び又は上記背面の表示対応領域に、上記表示領域の発した表示光の色を変更する表示光変更膜が形成された
ことを特徴とする表示用パネル。
【請求項２】
上記板部は、
上記表示部の上記表示領域の周囲に対応する上記正面及び又は上記背面の上記周囲対応領域に遮光性の遮光膜が形成された
ことを特徴とする請求項１に記載の表示用パネル。
【請求項３】
上記板部は、
上記表示部の上記表示領域の大きさよりも僅かに大きい上記表示対応領域に上記表示光変更膜が形成された
ことを特徴とする請求項１に記載の表示用パネル。
【請求項４】
上記板部は、
上記表示対応領域に光透過性の塗料が塗布され上記表示光変更膜が形成された
ことを特徴とする請求項１に記載の表示用パネル。
【請求項５】
表示部と、
上記表示部の表示領域及び当該表示領域の周囲に背面を向けて配置された光透過性の板部を有し、上記表示領域に対応する上記板部の正面及び又は上記背面の表示対応領域に、上記表示領域の発した表示光の色を変更する表示光変更膜が形成された表示用パネルと
を具えることを特徴とする電子機器。
【請求項６】
上記表示用パネルは、
上記表示部の上記表示領域の周囲に対応する、上記板部の上記正面及び又は上記背面の上記周囲対応領域に遮光性の遮光膜が形成された
ことを特徴とする請求項５に記載の電子機器。
【請求項７】
上記表示用パネルは、
上記板部の、上記表示部の上記表示領域の大きさよりも僅かに大きい上記表示対応領域に上記表示光変更膜が形成された
ことを特徴とする請求項５に記載の電子機器。
【請求項８】
上記表示用パネルは、
上記板部の上記表示対応領域に光透過性の塗料が塗布され上記表示光変更膜が形成された
ことを特徴とする請求項５に記載の電子機器。
【発明の詳細な説明】
【技術分野】
【０００１】
本発明は表示用パネル及び電子機器に関し、例えばオーディオコンポやプリンタ、電卓の表示部に用いられる表示用パネルに適用して好適なものである。
【背景技術】
【０００２】
従来、電気機器には、当該電気機器のメンテナンスの要求等をＬＥＤ（Light Emitting Diode）の発光により示す表示部が設けられており、表示部や当該表示部の周囲に背面を向けるようにして、例えばプラスチックから形成された光透過性の板状の表示用パネルが設けられていた。そして電気機器は、表示用パネルの正面側から、当該表示用パネルを介して、表示部におけるＬＥＤの発光をユーザに視認させることで、当該電気機器のメンテナンスが必要であることを通知するようになされていた（例えば、特許文献１参照）。
【特許文献１】特開２００２−３７２９３５公報
【発明の開示】
【発明が解決しようとする課題】
【０００３】
ところで、従来、電気機器としては、表示部として、可視光のうち緑色の成分が他の色の成分に比して強い光を発光するＦＬ（Fluorescent Luminescence）管が用いられるものがある。この場合、ＦＬ管が発光することによって当該ＦＬ管の表示領域に表示される文字や数字等（以下、これらを表示対象と呼ぶ）の色（以下、これを表示色と呼ぶ）は、ＦＬ管が可視光のうち緑色の成分が多い光を発光していることから、可視光のうち緑以外の他の色成分が含まれているにもかかわらず、全体として緑っぽい色（以下、これを単に緑色と呼ぶ）に見える。
【０００４】
また従来、表示用パネルＲ１には、図１に示すように、表示部としてＦＬ管Ｒ２が用いられている場合に、当該表示用パネルＲ１の背面Ｒ１ａの中でＦＬ管Ｒ２の表示領域Ｒ２ａと対向する領域に対し、ワインカラー色に着色されたプラスチックから形成された光透過性のフィルタ板Ｒ３が設けられているものがある。このフィルタ板Ｒ３は、ワインカラー色の着色により、可視光のうち赤色及び青色の光を透過させると共に緑色の光を吸収して減衰させるように作用する。従って、フィルタ板Ｒ３は、ＦＬ管Ｒ２の表示領域Ｒ２ａに対する表示対象Ｒ２ｂの表示に応じて当該表示領域Ｒ２ａから発せられた光（すなわちＦＬ管から発光された緑色の光であり、以下これを表示光と呼ぶ）が当該フィルタ板Ｒ３を透過するときに、当該表示光から緑色の成分を吸収して減衰させることができる。
【０００５】
これにより、従来の表示用パネルＲ１は、表示対象Ｒ２ｂを表示することに応じてＦＬ管Ｒ２の表示領域Ｒ２ａから発せられた緑色の表示光を透過するときに、当該表示用パネルＲ１に設けられたワインカラー色のフィルタ板Ｒ３によって表示光から緑色の光を吸収して減衰することができ、あたかも表示光の緑色に対してフィルタ板のワインカラー色を光合成したかのように、表示光を緑色から白色に変更していた。
【０００６】
ところがこの場合、表示用パネルＲ１は、表示光を緑色から白色に変更するために、フィルタ板Ｒ３を設ける必要があり、部品点数が増えて構成が煩雑になるという問題があった。
【０００７】
本発明は以上の点を考慮してなされたもので、簡易な構成で光の色を変更する表示用パネル及び電子機器を実現する。
【課題を解決するための手段】
【０００８】
かかる課題を解決するため本発明においては、表示部を有する電子機器に設けられる表示用パネルにおいて、表示部の表示領域及び当該表示領域の周囲に背面を向けて配置された光透過性の板部を有し、表示領域に対応する板部の正面及び又は背面の表示対応領域に、表示領域の発した表示光の色を変更する表示光変更膜を形成するようにした。
【０００９】
これにより、表示領域の発した表示光の色を変更するフィルタ板を設けることなく、表示光の色を変更できる。
【発明の効果】
【００１０】
本発明によれば、表示部を有する電子機器に設けられる表示用パネルにおいて、表示部の表示領域及び当該表示領域の周囲に背面を向けて配置された光透過性の板部を有し、表示領域に対応する板部の正面及び又は背面の表示対応領域に、表示領域の発した表示光の色を変更する表示光変更膜を形成するようにしたことにより、表示領域の発した表示光の色を変更するフィルタ板を設けることなく、表示光の色を変更でき、かくして、簡易な構成で光の色を変更し得る表示用パネル及び電子機器を実現できる。
【発明を実施するための最良の形態】
【００１１】
（１）音楽再生装置の外観構成
図２において、１は全体として音楽再生装置を示す。かかる音楽再生装置１は、装置本体部２と、当該装置本体部２を挟むようにして設けられた一対のスピーカ３から構成されている。装置本体部２は、その本体正面２Ａの略中央に、表示部としてのＦＬ（Fluorescent Luminescence）管５が設けられている。また装置本体部２には、ＦＬ管５の表示領域を含む装置本体部２の本体正面２Ａの略上半分をまとめて覆うようにして、当該ＦＬ管５の表示領域５ａよりも大きい光透過性の表示用パネル４が設けられており、ユーザが本体正面２Ａ側から見たときに、表示用パネル４を介してＦＬ管５の表示領域５ａを見ることができるようになされている。
【００１２】
また、装置本体部２の本体正面２Ａにおいて、表示用パネル４におけるＦＬ管５よりも右側には、音楽の音量を調節するボリューム６が設けられている。さらに表示用パネル４におけるＦＬ管５よりも左側には、当該音楽再生装置１の起動と停止とを示す電源ランプ７が設けられている。さらに装置本体部２の本体正面２Ａにおいて、表示用パネル４の下方には、ＣＤ（Compact Disk）等の光ディスクを再生する光ディスクドライブ８が設けられており、当該光ディスクドライブ８のトレーの端部が装置本体部２の本体正面２Ａに露出している。
【００１３】
さらに装置本体部２は、その本体上面２Ｂに、音楽の再生、停止、早送り及び巻き戻し等の操作を行うための各種操作ボタン９が設けられている。
【００１４】
（２）音楽再生装置の回路構成
つづいて、上述した外観構成をなす音楽再生装置１の回路構成について、図３を用いて説明する。音楽再生装置１は、制御部２０が、記憶部２１から読み出したプログラムに従って全体を統括的に制御すると共に各種処理を実行するようになされている。
【００１５】
この音楽再生装置１の制御部２０は、光ディスクドライブ８に光ディスクが装填された状態で、各種操作ボタン９及びボリューム６である操作部２２を介して、光ディスクドライブ８に装填された光ディスクに記憶されている音楽データを再生する操作が行われたことを認識すると、これに応じて光ディスクから音楽データを読み出し、これを音声処理部２３に入力する。音声処理部２３は、音楽データに対して再生処理を施すことで音楽信号を得て、この音楽信号をスピーカ３に送出する。この結果、このスピーカ３から音楽信号に基づく音楽が放音される。このようにして、音楽再生装置１は、光ディスクに記憶されている音楽データを聴かせるようになされている。
【００１６】
さらに、このような音楽データの再生時、音楽再生装置１の制御部２０は、音楽データの再生順序や音量レベルを示す情報を、ＦＬ管５である表示部２４に表示するようにもなされている。
【００１７】
（３）ＦＬ管の構成
次いで、図４を用いて、ＦＬ管５の構成を説明する。かかるＦＬ管５は、表示領域５ａにおいて、例えば、縦に２つ繋がった正方形の各辺に対して発光素子３０がそれぞれ配置されることで、例えば「ａ〜ｚ」のようなアルファベットからなる文字や、「0〜9」の数字を示せるようになされており、表示領域５ａ全体で複数の文字を示せるように多数の発光素子が設けられている。そしてＦＬ管５は、意味のある文字や文字列、数字等を示すように、各発光素子３０を発光させることで、表示領域５ａに対して意味のある文字や文字列、数字等（以下、これらを表示対象と呼ぶ）５ｂを表示するようになされている。
【００１８】
またＦＬ管は、可視光のうち緑色の成分が他の色の成分に比して強い光を発光している。従って、ＦＬ管５が発光することによって表示領域５ａに表示される表示対象５ｂの色（以下、これを表示色と呼ぶ）は、可視光のうち緑以外の他の色成分が含まれているにもかかわらず、全体として緑っぽい色（以下、これを単に緑色と呼ぶ）に見える。
【００１９】
（４）表示用パネルの構成
次いで、図５を用いて、表示用パネル４の構成を説明する。かかる表示用パネル４は、ポリカーボネート等のプラスチック材料から形成された透明な板材でなり、ユーザが装置本体部２を本体正面側から見たときの当該表示用パネル４の正面（以下、これをパネル正面と呼ぶ）４ｂから背面（以下、これをパネル背面と呼ぶ）４ａ、又はパネル背面４ａからパネル正面４ｂにかけて光を透過するようになされている。また表示用パネル４は、当該表示用パネル４のパネル正面４ｂがＦＬ管５の表示領域５ａよりも大きく選定されていることにより、音楽再生装置１の装置本体部２の本体正面２Ａの略上半分をまとめて覆うと共に、当該表示用パネル４のパネル背面４ａ側の略中央が、ＦＬ管５の表示領域５ａと対向するように音楽再生装置１に設けられている。
【００２０】
これにより表示用パネル４は、ＦＬ管５の表示領域５ａに対する表示対象５ｂの表示に応じて当該表示領域５ａから発せられた光（以下、これを表示光と呼ぶ）を、当該表示用パネル４のパネル背面４ａ側からパネル正面４ｂ側へと透過することができる。すなわち表示用パネル４は、当該表示用パネル４を介して、パネル背面４ａ側に設けられているＦＬ管５の表示領域５ａに表示されている表示対象５ｂをユーザに見せることができる。
【００２１】
ここで、表示用パネル４のパネル背面４ａのうち、ＦＬ管５の表示領域５ａと対向することで当該表示領域５ａと対応する領域（以下、これを表示対応領域と呼ぶ）４ａｘには、ＦＬ管５の表示領域５ａから発せられた表示光の色を変更する塗料（以下、これを表示光変更塗料と呼ぶ）が塗布されることで、ＦＬ管５の表示領域５ａから発せられた表示光の色を変更する光透過性の膜（以下、これを表示光変更膜と呼ぶ）ＭＡが予め形成されている。
【００２２】
かかる表示光変更塗料には、可視光のうち赤色及び青色の成分（すなわち光）を透過すると共に緑色の光を吸収して減衰させるワインカラー色の光透過性の塗料と、可視光の各色の光を同程度に吸収して減衰させる（すなわち、可視光全体の明るさを低減する）グレースモーク色の光透過性の塗料とが混入されており、その結果、表示用パネル４のパネル背面４ａの表示対応領域４ａｘに形成された表示光変更膜ＭＡは、ＦＬ管５から発せられた表示光を透過するときに、表示光のうち緑色の光を吸収して減衰させると共に、表示光全体の明るさを低減するようになされている。ちなみに、ここで言う光透過性の表示光変更膜ＭＡとは、例えば、かかる表示光変更膜ＭＡを介してＦＬ管５の表示領域５ａに表示されている表示対象５ｂを見たときに、表示光の色は変更されていても、表示対象５ｂの形状をそのまま視認できるような膜のことを指す。
【００２３】
これにより表示用パネル４は、図６に示すように、ＦＬ管５の表示領域５ａに表示対象５ｂが表示され、当該表示対象５ｂの表示色に応じた緑色の表示光が当該表示用パネル４を透過するとき、パネル背面４ａの表示対応領域４ａｘに形成された表示光変更膜ＭＡのワインカラー色によって表示光から緑色の光を吸収して減衰することができ、あたかも表示光の緑色に対してフィルタ板のワインカラー色を光合成したかのように、表示光を緑色から白色に変更することができる。その結果、表示用パネル４は、例えば、可視光のうち赤色及び青色の光を透過すると共に緑色の光を吸収して減衰させるワインカラー色のフィルタ板を設けることなく、表示光変更膜ＭＡにより表示光を緑色から白色に変更することができ、その結果、簡易な構成で表示光の色を緑色から白色に変更することができる。
【００２４】
また表示用パネル４は、ＦＬ管５の表示領域５ａに表示対象５ｂが表示され、当該表示対象５ｂの表示色に応じた緑色の表示光が当該表示用パネル４を透過するとき、パネル背面４ａの表示対応領域４ａｘに形成された表示光変更膜ＭＡのグレースモーク色の成分によって表示光の明るさ（例えば、ＦＬ管５の表示領域５ａにおける発光素子３０の発光に応じたギラツキ）を低減して、発光している発光素子３０とそれ以外との境界を見易くすることができ、その結果、表示対象５ｂを見易くすることができる（図６）。
【００２５】
ところで、ＦＬ管５の表示領域５ａにおいて、発光していない発光素子３０からは、外部から入射した光や表示対象５ｂの表示光が反射することに応じた光（以下、これを反射光と呼ぶ）が発せられている。
【００２６】
表示用パネル４は、表示領域５ａ上の発光していない発光素子３０から反射された、外部から入射した光や表示対象５ｂの表示光に応じた反射光が当該表示用パネル４を透過するとき、パネル背面４ａの表示対応領域４ａｘに形成された表示光変更膜ＭＡのグレースモーク色によって反射光の明るさを低減して見え難くすることができ、その結果、表示領域５ａ上の発光していない発光素子３０をユーザに見せてしまうことを極力回避できる（図６）。
【００２７】
ところで、ＦＬ管５の周囲には、例えば、かかるＦＬ管５に信号や電源を供給するための配線や、ＦＬ管５を固定するためのネジ、他の基板、装置本体部２の外枠といった部品（以下、これを周囲部品と呼ぶ）が存在している。かかる周囲部品からは、表示対象５ｂの表示光が反射することに応じた反射光が反射されている。
【００２８】
ここで、表示用パネル４のパネル背面４ａのうち、周囲部品と対向することで当該周囲部品と対応する領域（以下、これを周囲対応領域と呼ぶ）４ａｙには、光を遮光する遮光性の黒色の塗料（以下、これを遮光塗料と呼ぶ）が塗布されることで、周囲部品から発せられた、表示光に応じた反射光を遮光する膜（以下、これを遮光膜と呼ぶ）ＭＢが予め形成されている（図５及び図６）。
【００２９】
これにより表示用パネル４は、ＦＬ管５の表示領域５ａに表示対象５ｂが表示されたことに応じ、周囲部品から発せられた、表示光に応じた反射光が当該表示用パネル４を透過するとき、パネル背面４ａの周囲対応領域４ａｙに形成された遮光膜ＭＢによって反射光を遮光して、ユーザに見せないようにすることができる。その結果、表示用パネル４は、例えば、光を遮光する遮光性の黒色の遮光板を設けることなく、表示光に応じた反射光を遮光してユーザに見せないようにすることができ、かくして、簡易な構成で遮光することができる。
【００３０】
かかる構成に加えて、表示用パネル４のパネル背面４ａにおいて表示対応領域４ａｘは、当該表示対応領域４ａｘの横方向が、ＦＬ管５の表示領域５ａの横方向よりも僅かに広く設定されている。すなわち、表示対応領域４ａｘに形成された表示光変更膜ＭＡは、当該表示光変更膜ＭＡの横方向が、ＦＬ管５の表示領域５ａの横方向よりも僅かに広く設定されており、図７に示すように、装置本体部２の本体正面側から所定の角度（以下、これを視野角度と呼ぶ）θだけ斜め横方向からユーザに見られたときに、遮光膜ＭＢで遮ることなく、ＦＬ管の表示領域５ａの横方向の端から端までの全体を見せるようになされている。
【００３１】
これにより表示用パネル４は、装置本体部２の本体正面側から視野角度θまでの斜め横方向からユーザに見られたときに、表示光変更膜ＭＡを介して、遮光膜ＭＢで遮ることなくＦＬ管の表示領域５ａの横方向の端から端までの全体をユーザに見せることができる。
【００３２】
また、表示用パネル４は、表示対応領域４ａｘに表示光変更塗料を塗布し、表示用パネル４の周囲対応領域４ａｙに黒色塗料を塗布することで、表示光変更膜ＭＡと遮光膜ＭＢとが形成されていることにより、設計変更等に応じて視野角度θを変更したい場合に、表示光変更塗料及び遮光塗料を塗布する領域の広さを変更するだけで、視野角度θを変更でき、その結果、簡易に視野角度を変更できる。
【００３３】
（５）動作及び効果
以上の構成において音楽再生装置１は、パネル背面４ａの中でＦＬ管５の表示領域５ａと対応する表示対応領域４ａｘに対して表示光変更膜ＭＡが形成された表示用パネル４を設けている。
【００３４】
また表示光変更膜ＭＡは、可視光のうち赤色及び青色の光を透過すると共に緑色の光を吸収して減衰させるワインカラー色の光透過性の表示光変更塗料が塗布されたことで形成されている。
【００３５】
従って、音楽再生装置１は、可視光のうち赤色及び青色の光を透過すると共に緑色の光を吸収して減衰させるワインカラー色のフィルタ板を設けることなく、表示光変更膜ＭＡにより表示光を緑色から白色に変更することができ、その結果、簡易な構成で表示光の色を緑色から白色に変更することができる。
【００３６】
以上の構成によれば、音楽再生装置１は、表示用パネル４を、ＦＬ管５の表示領域５ａ及び当該表示領域５ａの周囲にパネル背面４ａを向けて配置し、当該表示用パネル４のパネル背面４ａの中でＦＬ管５の表示領域５ａに対応する表示対応領域４ａｘに対し、表示対象５ｂを表示することに応じて表示領域５ａから発せられた表示光から緑色の光を吸収して減衰する表示光変更塗料を塗布して、表示光変更膜ＭＡを形成するようにしたことにより、表示領域５ａに表示された表示対象５ｂの発した表示光から緑色の成分を吸収して減衰するフィルタ板を設けることなく、表示光の色を変更でき、かくして、簡易な構成で光の色を変更できる。
【００３７】
また音楽再生装置１は、表示用パネル４を、ＦＬ管５の表示領域５ａ及び当該表示領域５ａの周囲にパネル背面４ａを向けて配置し、当該表示用パネル４のパネル背面４ａの中でＦＬ管５の表示領域５ａに対応する表示対応領域４ａｘに、表示領域５ａに表示された表示対象５ｂの発した表示光の各色の成分を同程度に吸収して減衰させる表示光変更塗料を塗布して、表示光変更膜ＭＡを形成するようにしたことにより、表示領域５ａ上の発光していない発光素子３０から発せられた、外部から入射した光や表示対象５ｂの表示光に応じた反射光が当該表示用パネル４を透過するとき、反射光の明るさを低減して見え難くすることができ、その結果、表示領域５ａ上の発光していない発光素子３０をユーザに見せてしまうことを極力回避できる。
【００３８】
さらに音楽再生装置１は、表示用パネル４のパネル背面４ａのうち、周囲部品と対向することで当該周囲部品と対応する周囲対応領域４ａｙに、光を遮光する遮光性の黒色の遮光塗料を塗布して、周囲部品から発せられた、表示光に応じた反射光を遮光する遮光膜ＭＢを形成するようにしたことにより、光を遮光する遮光性の黒色の遮光板を設けることなく、表示光に応じた反射光を遮光して、ユーザに見せないようにすることができ、その結果、簡易な構成で遮光することができる。
【００３９】
さらに音楽再生装置１は、表示用パネル４のパネル背面４ａにおいて表示対応領域４ａｘは、当該表示対応領域４ａｘの横方向が、ＦＬ管５の表示領域５ａの横方向よりも僅かに広く設定されるようにしたことにより、装置本体部２の本体正面側から視野角度θまでの斜め横方向からユーザに見られたときに、表示光変更膜ＭＡを介して、遮光膜ＭＢで遮ることなくＦＬ管の表示領域５ａの横方向の端から端までの全体をユーザに見せることができ、その結果、表示を見易くできる。
【００４０】
（６）他の実施の形態
なお上述した実施の形態においては、表示光の色を変更するために、表示用パネル４の表示対応領域４ａｘに対して緑色の光を吸収して減衰させる表示光変更塗料を塗布することにより、緑色の光を吸収して減衰させる表示光変更膜ＭＡを形成するようにした場合について述べたが、本発明はこれに限らず、緑色の光を吸収して減衰させる表示光変更膜ＭＡを、真空蒸着等の手法により蒸着して形成するようにしても良い。また、真空蒸着等の手法を用いる場合、緑色の光を反射して減衰させるような反射膜（例えば、誘電体多層薄膜）を蒸着して形成するようにしても良く、その場合も、上述の実施の形態と同様の効果を得ることができる。また、表示光変更膜ＭＡにより吸収（又は反射）して減衰させる光の色は、緑色でなくても良く、さらには複数の色の光をまとめて吸収（又は反射）して減衰させるようにしても良い。
【００４１】
また上述した実施の形態においては、表示光変更膜ＭＡを、表示用パネル４のパネル背面４ａの表示対応領域４ａｘに形成するようにした場合について述べたが、本発明はこれに限らず、表示用パネル４のパネル正面４ｂの中で表示対応領域４ａｘの裏側に対応する領域に表示光変更膜ＭＡを形成しても良い。また、表示光変更膜ＭＡを形成するのはパネル背面４ａ及びパネル正面４ｂの一方だけであっても良いし、両方であっても良い。
【００４２】
また上述した実施の形態においては、黒色の遮光膜ＭＢを、表示用パネル４のパネル背面４ａの周囲応領域４ａｙに形成するようにした場合について述べたが、本発明はこれに限らず、表示用パネル４のパネル正面４ｂの中で周囲応領域４ａｙの裏側に対応する領域に遮光膜ＭＢを形成しても良い。また、遮光膜ＭＢを形成するのはパネル背面４ａ及びパネル正面４ｂの一方だけであっても良いし、両方であっても良い。さらに遮光膜ＭＢは、黒色でなくても良く、光を遮光できれば何色でも良い。
【００４３】
さらに上述した実施の形態においては、表示部としてＦＬ管５を用いるようにした場合について述べたが、本発明はこれに限らず、ＬＥＤ（Light Emitting Diode）やＬＤ（Laser Diode）、バックライト付き液晶、有機ＥＬ（Electro Luminescence）、フィラメント発光、蛍光発光等を用いても良い。その場合も、表示対象５ｂから発せられた表示光の色を最終的に白色に変更できるように調色した表示光変更膜ＭＡを形成することで、上述した実施の形態と同様の効果を得ることができる。また、最終的に変更する表示光の色は何色でも良い。つまりは、表示用パネル４のパネル背面４ａの表示対応領域４ａｘに形成された表示光変更膜ＭＡにより、表示対象を表示することにより表示部の表示領域から発せられた表示光の色が変更できれば、変更前の表示光の色及び変更後の表示光の色は何でも良い。
【００４４】
さらに上述した実施の形態においては、表示用パネル４は、光透過性のポリカーボネートから形成されている場合について述べたが、本発明はこれに限らず、表示用パネル４の材料としては、光透過性のアクリル、ポリプロピレン、エポキシ樹脂、及び石英ガラス等、この他種々の材料を用いるようにしても良い。また、表示用パネル４は、所定の色に着色された光透過性の材料から形成されていても良い。この場合、例えば表示用パネル４がグレースモーク色に着色された光透過性の材料から形成されている場合には、表示用パネル４のパネル背面４ａの表示対応領域４ａｘには、ワインカラー色の光透過性の塗料を塗布して表示光変更膜ＭＡを形成するだけで、上述した実施の形態と同様の効果を得ることができる。ちなみに、ここで言う光透過性の材料とは、例えば、かかる材料を介してＦＬ管５の表示領域５ａに表示されている表示対象５ｂを見たときに、色は変更されていても、表示対象５ｂの形状をそのまま視認できるような材料のことを指す。
【００４５】
さらに上述した実施の形態においては、表示用パネル４及びＦＬ管５を装置本体部２の本体正面２Ａに設けるようにした場合について述べたが、本発明はこれに限らず、表示用パネル４及びＦＬ管５を設けるのは、装置本体部２の裏面や側面、上面であっても良く、さらにはスピーカ３の裏面や側面、上面であっても良く、表示用パネル４及びＦＬ管５を設ける位置や方向は、装置のどこであっても良い。
【００４６】
さらに上述した実施の形態においては、表示光変更膜ＭＡが、表示対応領域４ａｘの全体を透過する表示光の色を変更するようにした場合について述べたが、本発明はこれに限らず、表示対応領域４ａｘを複数の部分に分割して、各部分毎に、表示光を別の色に変更するようにしても良い。
【００４７】
さらに上述した実施の形態においては、表示用パネル４のパネル背面４ａにおいて表示対応領域４ａｘは、当該表示対応領域４ａｘの横方向が、ＦＬ管５の表示領域５ａの横方向よりも僅かに広く設定されるようにした場合について述べたが、本発明はこれに限らず、表示用パネル４のパネル背面４ａにおいて表示対応領域４ａｘは、当該表示対応領域４ａｘの縦方向が、ＦＬ管５の表示領域５ａの縦方向よりも僅かに広く設定されるようにしても良い。また、表示用パネル４のパネル背面４ａにおいて表示対応領域４ａｘは、当該表示対応領域４ａｘの縦方向及び横方向が、ＦＬ管５の表示領域５ａの縦方向及び横方向よりも僅かに広く設定されるようにしても良い。
【００４８】
さらに上述した実施の形態においては、１つの表示部としてのＦＬ管５の表示領域５ａに対向するように表示用パネル４を設けるようにした場合について述べたが、本発明はこれに限らず、複数の表示部の表示領域に対向するように表示用パネル４を設けるようにしても良い。具体的には、図７に示すように、上述した実施の形態のＦＬ管５に加えて、液晶により表示対象を表示する液晶表示部１５と、ＬＥＤ発光により表示を行うＬＥＤ２５とを、表示用パネル４のパネル背面４ａに対向するように設けても良い。この場合、表示用パネル４のパネル背面４ａのうち、ＦＬ管５の表示領域５ａと対向する表示対応領域４ａｘ（以下、これを第１の表示対応領域２０と呼ぶ）には、上述したように、緑色の光を吸収して減衰させる表示光変更膜ＭＡを形成する。これに対し、表示用パネル４のパネル背面４ａのうち液晶表示部１５の表示領域１５ａと対向する表示対応領域４ａｘ（以下、これを第２の表示対応領域２１と呼ぶ）には、何も形成せずに、当該液晶表示部１５の表示領域１５ａに表示される表示対象１５ｂから発せられた表示光の色を変更しないようにすると共に、表示用パネル４のパネル背面４ａのうちＬＥＤ２５の表示領域２５ａと対向する表示対応領域４ａｘ（以下、これを第３の表示対応領域２２と呼ぶ）にも、何も塗布せずに、ＬＥＤ２５から発せられた表示光の色を変更しないようにするようにしても良い。つまりは、１つの表示用パネル４に対して複数の表示部（すなわち、ＦＬ管５、液晶表示部１５及びＬＥＤ２５）が設けられている場合には、それぞれの表示部の表示領域に対向する当該表示用パネル４のパネル背面４ａの各表示対応領域４ａｘに対して、どんな色の光を吸収して減衰させる表示光変更膜ＭＡを形成しても良いし、表示光変更膜ＭＡを形成しなくても良く、表示光変更膜ＭＡの色、及び表示光変更膜ＭＡの形成の有無はユーザによって自由に選択できるものとする。
【００４９】
さらに上述した実施の形態においては、表示部と、表示部の表示領域及び当該表示領域の周囲に背面を向けて配置された光透過性の板部を有し、表示領域に対応する板部の正面及び又は背面の表示対応領域に、表示領域の発した表示光の色を変更する表示光変更膜が形成された表示用パネルとを具える電子機器として、図１乃至図８について上述した音楽再生装置１を適用するようにした場合について述べたが、本発明はこれに限らず、ＤＶＤ(Digital Versatile Disk)レコーダやハードディスクレコーダ等の動画記録再生装置、携帯型オーディオプレイヤ、オーディオコンポ、デジタルカメラ、デジタルビデオカメラ、プリンタ、パーソナルコンピュータ、電卓、時計、携帯電話、ＰＤＡ（Personal Digital Assistant）等、種々の電子機器に適用することができる。
【産業上の利用可能性】
【００５０】
本発明はオーディオコンポやプリンタ、電卓の表示部に用いられる表示用パネルに利用することができる。
【図面の簡単な説明】
【００５１】
【図１】従来の表示用パネルの構成を示す略線的斜視図である。
【図２】音楽再生装置の外観構成を示す略線図である。
【図３】音楽再生装置の回路構成を示す略線図である。
【図４】ＦＬ管の構成を示す略線図である。
【図５】本実施の形態における表示用パネルの構成を示す略線的斜視図である。
【図６】表示光の色を変更する様子を示す略線図である。
【図７】視野角度の説明に供する略線図である。
【図８】他の実施の形態における表示用パネルの構成を示す略線的斜視図である。
【符号の説明】
【００５２】
１……音楽再生装置、２……装置本体部、４……表示用パネル、４ａ……パネル背面、４ａｘ……表示対応領域、４ａｙ……周囲対応領域、４ｂ……パネル正面、５……ＦＬ管、５ａ……表示領域、５ｂ……表示対象、ＭＡ……表示光変更膜、ＭＢ……遮光膜。
【図１】
2008216886.tif 000003
【図２】
2008216886.tif 000004
【図３】
2008216886.tif 000005
【図４】
2008216886.tif 000006
【図５】
2008216886.tif 000007
【図６】
2008216886.tif 000008
【図７】
2008216886.tif 000009
【図８】
2008216886.tif 000010